【手続補正書】
【提出日】平成15年7月2日(2003.7.2)
【手続補正１】
【補正対象書類名】明細書
【補正対象項目名】特許請求の範囲
【補正方法】変更
【補正の内容】
【特許請求の範囲】
【請求項１】
状態応答電気スイッチであって、
長手方向軸線と、第１および第２の開口端部間を延びる側壁とを有する細長くて全体的に管状のベースと、
運動伝達部材を滑動可能に装着すべく前記ベースの前記第１の端部に配置されたガイド部材にして該部材はその外側周縁において前記ベースから離れて延びる円筒状部分を有し、該円筒状部分は前記ベースの前記長手方向軸線と同軸の長手方向軸線並びに選定された直径を備えているとともに力伝達遠位端部を有している、前記ガイド部材と、
流体圧応答センサ組立体にして、貫通中央配置孔を有するディスク支持プレートと、ディスクハウジング部材と、前記支持プレートと前記ハウジング部材との間に配置された少なくとも１つのスナップ作動ディスクとを有し、前記支持プレート、ハウジング部材およびディスクの全ては一緒に溶接された外側円形周縁部分を有している、前記流体圧応答センサ組立体と、
前記センサ組立体と前記ベースとの間に力を加える手段にして、前記円筒状壁部分の前記力伝達遠位端部の直径は前記支持プレート、ハウジング部材およびディスクの溶接された前記外側周縁部分の直径よりも小さくなく、前記センサ組立体と前記ベースとの間に加えられる力は前記ガイド部材の前記円筒状壁部分の前記力伝達遠位端部並びに前記センサ組立体の前記溶接された部分を介して伝達される、前記力を加える手段と、
前記ベース内に配置された電気スイッチと、前記ガイド部材内に滑動可能に装着されるとともに前記少なくとも１つのディスクと前記電気スイッチとの間において前記ディスク支持プレート内の孔を通って延びている運動伝達部材とを包含する状態応答電気スイッチ。
【請求項２】
請求項１に記載の電気スイッチにおいて、前記センサ組立体と前記ベースとの間に力を加える前記手段は前記ベース部材に設けられたフランジ上にクリンプされた端部と、前記センサ組立体に力を加える別の端部とを備えた保持スリーブを有していることを特徴とする状態応答電気スイッチ。
【請求項３】
請求項１に記載の電気スイッチにおいて、更に環境シール装置を含んでおり、前記ガイド部材は半径方向外向きに延びている壁部分を有しており、対向する上側および下側Ｏ−リング座が全体的に前記ベース部材の側壁と整合しており、第１および第２の変形可能ガスケットがそれぞれ前記上側および下側Ｏ−リング座上に収納されていることを特徴とする状態応答電気スイッチ。
【請求項４】
請求項１に記載の電気スイッチにおいて、熱遮断取付部品を含んでおり、該取付部品は銅クラッドステンレス鋼からなる細長い管状要素を有しており、該要素は前記センサ組立体に気密に取付けられる端部と、モニタされるべきシステムに気密接続するための反対側端部とを有していることを特徴とする状態応答電気スイッチ。
【請求項５】
状態応答電気スイッチであって、
長手方向軸線を有する細長い管状ベース部材にして、スイッチキャビティと連通する第１の開口端部並びに前記スイッチキャビティと連通する第１および第２の孔を有する第２の端部を備えた壁と、前記第１の開口端部近傍で前記壁内に形成された横方向に延びる台座と、該台座から前記第１および第２の孔に向けて長手方向に延びる第１および第２の端子収納スロットと、それぞれの前記スロット内に滑動可能に収納された第１および第２の端子にして該端子は前記ベースの前記第１の端部から前記第２の端部に向けての運動を制限すべく前記台座上に収納された横方向に延びるタブを有し、かつ該端子は各々がそれぞれの孔に向けて延びるコネクタ部分を有している、前記第１および第２の端子と、一方の前記端子上に装着されていて他方の前記端子との電気的係合に入ったりそれから外れたりの動きをすることの出来る可動接点アームとを有する、前記細長い管状ベース部材と、
前記ベース部材の前記第１の開口端部内に収納された長手方向に延びる孔を有するガイド部材にして該部材は前記ベース部材の前記第２の端部から前記第１の端部へ向う方向の動きを防止すべく前記端子タブと係合している、前記ガイド部材と、
第１および第２の電気リードにして、非導電性層並びに各リードのそれぞれの端部に取付けられたコネクタと、各該リードの前記非導電性層上に収納されかつ前記第１および第２の孔との締り嵌めを形成するように選定された外径を備えた全体的に管状のガスケットとを有し、前記コネクタは前記ガスケットから選定された距離だけ隔置されておりそれにより前記リードの前記孔内への挿入は前記ガスケットとそれぞれの前記第１および第２の孔との間に環境シールが形成されるのと同時に前記端子のそれぞれのコネクタ部分との電気的接続を行なう、前記第１および第２の電気リードと、
前記ガイド部材上に装着されたセンサ組立体と、前記ガイド部材の前記孔内に滑動可能に装着されかつ前記センサ組立体と前記可動接点アームとの間を延びる運動伝達部材とを包含する状態応答電気スイッチ。
【請求項６】
請求項５に記載の電気スイッチにおいて、各前記ガスケットは縮径部分を有しており、それぞれの前記コネクタは前記縮径部分にクリンプされていて前記ガスケットがそれぞれの前記リードに対して軸方向に移動するのを防止することを特徴とする状態応答電気スイッチ。
【請求項７】
請求項５に記載の電気スイッチにおいて、前記ガスケットはそれの外側周縁のまわりに延在する複数の円周リブを有する弾性材料から形成されていることを特徴とする状態応答電気スイッチ。
【請求項８】
電気スイッチにしてその内部にスイッチキャビティを画成する、電気絶縁高分子材料から形成されていて長手方向軸線を有する全体的に管状のベースを備え、該ベースは第１の開口端部と、前記ベースの前記長手方向軸線と平行な長手方向軸線を有する第１および第２の円筒状リード収納孔を備えた反対側の第２の端部とを有し、更に前記キャビティと連通して前記ベース内に形成されかつ前記ベースの前記長手方向軸線と平行な方向に延びる端子収納スロットを有している電気スイッチの組立方法であって、該方法は、前記ベースの前記第１の端部において基準表面を形成する段階と、第１および第２の端子を前記スロット内に挿入して該端子を前記基準表面と係合状態に押圧する段階にして、前記端子の各々は前記ベースの前記第２の端部に向けて該ベースの前記長手方向軸線と平行な方向に延びる雄型コネクタ部分を有している挿入段階と、電気絶縁層を有する第１および第２のワイヤリードを取上げる段階にして、前記絶縁層は前記ワイヤリードを取囲む外径を有しており、各前記リードはその端部近傍の前記絶縁層上に配置された可撓性高分子材料の全体的に円筒状のガスケットを有しており、該ガスケットは前記第１および第２の収納孔の直径よりもわずかに大きい外径を有し、前記リードの前記端部は前記絶縁層を有さずコネクタの雌型コネクタ部分に接続されている取上げ段階と、前記コネクタをそれぞれの前記第１および第２の円筒状リード収納孔内に挿入して前記雌型コネクタ部分をそれぞれの前記雄型コネクタ部分上へと押圧し、同時に前記ガスケットをそれぞれの前記リード収納孔内に押圧して前記ガスケットと前記ベース間に圧縮嵌めを形成する挿入段階とを包含する電気スイッチの組立方法。
【請求項９】
請求項８に記載の方法において、前記ガスケットをそれぞれの前記コネクタに取付けて該ガスケットのそれぞれのコネクタに対する軸線方向運動を防止する段階を含んでいることを特徴とする電気スイッチの組立方法。
【請求項１０】
第１および第２の平行に延びる円形孔を有する端部を備えたベースを有する電気スイッチにして、スイッチ端子のコネクタ部分が各前記孔内に配置されている電気スイッチの組立方法であって、該方法は、各々がそれぞれのリードを取囲んでいる電気絶縁層を有する第１および第２の電気リードを取上げる段階と、前記絶縁層を各前記リードの端部からはぎ取る段階と、各々がそれぞれのリードの前記絶縁層とぴったり合う長手方向に延びる孔を有しかつ前記ベースの前記第１および第２の孔との締り嵌めを形成すべく選定された外径を有している全体的に円筒状のガスケットを取り上げる段階と、各前記リードをそれぞれのガスケットの前記孔内に挿入する段階と、それぞれの前記円形孔と連通して配置されたスイッチ端子のコネクタ部分と滑動可能に係合するようにされている部分を有する電気コネクタを取上げる段階と、該電気コネクタの１つをそれぞれの前記リードの各被覆除去端部へ取付ける段階と、前記ガスケットを各スイッチ端子のコネクタ部分とそれぞれの各前記孔の外側端部との間の距離よりも小さな選定された距離だけそれぞれの前記電気コネクタから離して配置する段階と、前記リードをそれぞれの前記孔内に挿入して前記電気コネクタが各スイッチ端子のそれぞれの前記コネクタ部分と電気的に係合すると同時に前記ガスケットがそれぞれの前記円形孔内に圧縮収納されて環境シールを形成するようにする挿入段階とを包含する電気スイッチの組立方法。
【請求項１１】
請求項１０に記載の方法において、各前記電気コネクタをそれぞれのガスケットにクランプして該ガスケットがそれぞれのリードに対して軸線方向に移動するのを防止するクランプ段階を含んでいることを特徴とする電気スイッチの組立方法。
【請求項１２】
状態応答電気スイッチであって、
長手方向軸線を有する細長くて全体的に管状のベースにして、第１および第２の開口端部間を延びる側壁と、該側壁の前記第１の端部から半径方向外向きに延びて前記長手方向軸線に対して全体的に垂直な平面内に位置する前記第１の端部において表面を形成しているフランジとを有する、前記管状のベースと、
運動伝達部材を滑動可能に装着すべく前記ベースの前記第１の端部において装着されたガイド部材にして該ガイド部材は貫通して長手方向に延びる孔が形成された中央ハブを有し、更に前記ベースの前記第１の端部の前記表面と全体的に整合した対向する上側および下側Ｏ−リング座を備えて半径方向外向きに延びる壁部分を有しており、該ガイド部材の前記壁部分は前記ベースから離れて延びるその外側周縁において円筒状部分を有しており、該円筒状部分は前記ベースの前記長手方向軸線と同軸の長手方向軸線並びに選定された直径を有するとともに力伝達遠位端部を有している、前記ガイド部材と、
状態応答センサ組立体にして、貫通中央配置孔を有するディスク支持プレートと、ディスクハウジング部材と、前記支持プレートと前記ハウジング部材との間に配置された少なくとも１つのスナップ作動ディスクとを有し、前記支持プレート、ハウジング部材およびディスクの全ては一緒に溶接された外側円形周縁部分を備えている、前記状態応答センサ組立体と、
それぞれ前記対向する上側および下側Ｏ−リング座上に収納された第１および第２の変形可能ガスケットと、
前記センサ組立体と前記フランジとの間に力を加える手段にして、前記円筒状壁部分の前記力伝達遠位端部の直径は前記支持プレート、ハウジング部材およびディスクの前記溶接された外側周縁部分の直径と実質的に等しいので前記センサ組立体と前記フランジとの間に加えられる力は前記ガイド部材の前記円筒状壁部分の前記力伝達遠位端部および前記センサ組立体の前記溶接された部分を介して伝達される、前記力を加える手段と、
前記ベース内に配置された電気スイッチと、前記ガイド部材の前記孔内に滑動可能に収納されかつ前記少なくとも１つのディスクと前記電気スイッチとの間において前記ディスク支持プレート内の前記孔を通って延びている運動伝達部材と、前記電気スイッチを外部環境からシールする環境シール手段とを包含する状態応答電気スイッチ。
【請求項１３】
請求項１２に記載のスイッチにおいて、熱遮断取付部品を含んでおり、該取付部品は銅クラッドステンレス鋼からなる細長い管状要素を有しており、該要素は前記センサ組立体に気密に取付けられる端部と、モニタされるべきシステムに気密接続するための反対側端部とを有していることを特徴とする状態応答電気スイッチ。